(57)【特許請求の範囲】
【請求項１】
食料品又は飲料品のための計量分配組立体であって、
食料品又は飲料品を収容するための容器であり、開口を含む容器と、
前記開口の上に取り付けられる、前記開口を閉塞するための閉塞手段であり、少なくとも１つの出口を有する閉塞部材を少なくとも含む閉塞手段と、
前記出口に対向して配置される停止部材とを含み、
前記閉塞部材は、弾性的に変形可能であり、
前記閉塞部材は、使用者の押圧作用によって、第一状態から第二状態に調節可能であり、前記第一状態において、前記食料品又は飲料品が前記出口を通るのを可能にするよう、前記出口は、前記出口が前記停止部材から離間させられることによって開放され、前記第二状態において、前記出口は、前記出口が前記停止部材によって閉塞される位置まで内向きに移動され、
前記閉塞部材は、予め決められた変形線の存在しない、全体的に弾性的に変形可能な閉塞部材であり、
前記閉塞部材は、中間状態に更に調節可能であり、前記中間状態において、前記出口は、前記停止部材に向かって移動され、前記出口は、前記停止部材によって部分的に閉塞され、
前記中間状態において、前記閉塞部材は、前記第一状態又は前記第二状態に対して傾いた位置にあり、
前記中間状態は、静止的な状態である、
計量分配組立体。
【請求項２】
前記停止部材は、前記容器に適合可能な停止部材組立体の一部を形成し、前記停止部材組立体は、枠組を更に含み、前記停止部材組立体は、前記枠組によって、前記出口に対向して懸架される、請求項１に記載の計量分配組立体。
【請求項３】
前記停止部材組立体の停止部材は、前記容器の基部から離れる方向において上向きに突出する支柱として形成される、請求項２に記載の計量分配組立体。
【請求項４】
前記停止部材は、前記容器に一体化される支柱によって形成される、請求項１に記載の計量分配組立体。
【請求項５】
前記容器は、空洞を含み、該空洞は、該空洞内に受け入れ得るホルダ腕部との協働のために配置される、請求項１乃至４のうちのいずれか１項に記載の計量分配組立体。
【請求項６】
前記支柱は、前記容器に一体化され且つ中空であり、該中空の支柱は、前記ホルダ腕部を受け入れるための前記空洞をもたらす、請求項３又は４に従属するときの請求項５に記載の計量分配組立体。
【請求項７】
前記出口は、通路壁部分によって定められる出口通路を含む、請求項１乃至６のうちのいずれか１項に記載の計量分配組立体。
【請求項８】
前記通路壁部分は、外向きに開く、請求項７に記載の計量分配組立体。
【請求項９】
前記出口は、フランジを含み、該フランジは、前記閉塞部材が前記第二状態にあるとき、前記停止部材と係合する、請求項１乃至８のうちのいずれか１項に記載の計量分配組立体。
【請求項１０】
前記出口通路は、前記フランジを含む、請求項７又は８に従属するときの請求項９に記載の計量分配組立体。
【請求項１１】
前記容器は、ボウルを含む、請求項１乃至１０のうちのいずれか１項に記載の計量分配組立体。
【請求項１２】
使用中に空気が前記容器から漏れ出し得るよう、前記閉塞部材を前記第二状態に向かって押すことができ、前記弾性的に変形可能な閉塞部材の故に、僅かな下圧が前記容器内にもたらされる、請求項１乃至１１のうちのいずれか１項に記載の計量分配組立体。
【発明の詳細な説明】
【技術分野】
【０００１】
本発明は注ぎ出し可能(pourable)な食料品(food product)又は飲料品(drink product)のための計量分配組立体に関する。
【背景技術】
【０００２】
食料品及び飲料品の包装は、（ｉ）販売場所での製品の販売促進及び（ｉｉ）販売前の製品の保護及び保存という要件を主として満足するよう概ね設計される。例えば、少量で消費される傾向のある製品の場合において、製品が一気に消費され且つ廃棄されるとき、消費者は元々の包装の継続的な使用を望まないことがある。これは開封済み包装が製品を保護し或いは保存し続ける方法において直ちに使用されるのに適しないという実用的な理由の故であり得るし、或いは、包装上のブランド付けが製品の消費されるべき環境と調和しないという審美的な理由の故であり得る。従って、ある形態の計量分配組立体を使用することが知られている。
【０００３】
ＵＳ２００８／０１９０９３３は、容器内に詰め込まれる食品を保存するための容器のための閉塞装置を開示している。閉塞装置は、主出口を定める下方／内側層構造と、停止部を定める上方／外側層構造とを有する、一体形のインサートの形態を取る。閉塞装置は、停止部を主出口内に下降させることによって主出口を閉塞し得るよう、変形可能である。ある欠点は、閉塞装置が１つよりも多くの層を有するので、閉塞装置を製造するのが比較的複雑であることである。他の欠点は、注出後、食品が下方／内側層構造の上に留まることによって、容器の清浄な閉塞をもたらし得ないことである。
【０００４】
ＥＰ１１４７９９４は、外側素子の出口を開閉するために互いに変位可能な外側素子と内側素子とを含む、飲料ボトルのための閉塞キャップを開示している。外側素子は、可撓リングを介して剛的なスカートに接続される、剛的な注ぎ口を有する。
【０００５】
ＷＯ０３／０１４００５は、閉塞本体と、第一ヒンジ領域と第二ヒンジ領域とを含む変形可能部分を有する弁部材とを含む、飲料ボトルのための計量分配弁を開示している。
【０００６】
上述の閉塞キャップの欠点は、閉塞キャップが可撓なヒンジを有するが主として剛的であり、使用者が閉塞キャップを作動するのを比較的困難にし、且つ、閉塞キャップを故障に対して脆弱にすることである。
【発明の概要】
【発明が解決しようとする課題】
【０００７】
本発明は少なくともこれらの欠点に取り組む閉塞の解決策を提供することを目標とする。
【課題を解決するための手段】
【０００８】
第一の特徴によれば、本発明は、食料品又は飲料品のための計量分配組立体であって、食料品又は飲料品を収容するための容器であり、開口を含む容器と、開口に亘って取り付けられる、開口を閉塞するための閉塞手段であり、出口を有する閉塞部材を含む閉塞手段と、出口に対向して取り付けられる停止部材とを含み、閉塞部材は、実質的に弾性的に変形可能であり、閉塞部材は、使用者の押圧作用によって、第一状態から第二状態に調節可能であり、第一状態において、食料品又は飲料品が出口を通るのを可能にするよう、出口は出口が停止部材から離間させられることによって開放され、第二状態において、出口は出口が停止部材によって閉塞される位置まで内向きに移動される、計量分配組立体を提供し得る。
【０００９】
よって、本発明は、使用者が、使用者の押圧作用によって、出口が開放される第一状態から出口が停止部材によって閉塞される第二状態に、停止部材に向かって内向きに移動させるのが、出口である、計量分配組立体を提供する。そのような構成は、停止部材を提供し或いは支持する固定的な機械的構造が注出中に出口を出る食料品又は飲料品の通過を妨げないよう、固定的な機械的構造が出口の内側に配置されるのを可能にする。
【００１０】
閉塞部材は、少なくとも１つの出口を含む。閉塞部材は、単一の出口を含み得るし、多数の出口を含んでもよい。多数の出口は、第一状態と第二状態との間で互いに独立して調節可能であり得る。多数の出口は、第一状態から第二状態に一緒に調節可能であってもよい。
【００１１】
閉塞部材は弾性的に変形可能であるので、閉塞部材を自由な方法において第一状態から第二状態に押し得る。予め定められた変形線又は押圧方向はない。これはキャップを押し込み得る所定の変形線が提供される従来技術とは対照的である。そのような従来技術のキャップに関しては、予め定められた方向に圧力が加えられないならば、キャップを押し込み得ない。本発明によれば、弾性的に変形可能な閉塞部材の故に、圧力が加えられる方向とは多かれ少なかれ無関係に、閉塞部材を第一状態から第二状態に押し得る。
【００１２】
閉塞部材の最適な可撓性を可能にするために、閉塞部材を全体的に、例えば、弾性的に変形可能な材料によって製造し得る。
【００１３】
閉塞部材の可撓性の故に、閉塞部材を第一状態と第二状態との間の位置である中間状態に押し込むことも可能である。中間状態において、出口は停止部材に向かって部分的に移動され、出口は停止部材によって部分的に閉塞される。よって、第二状態における流出開口に比べて、より小さな流出開口を得ることができる。中間状態において、閉塞部材は、実際には、第一状態又は第二状態に対して傾いた位置にある。弾性的に変形可能な閉塞部材の故に、よって、予め決められた変形線の不存在の故に、使用者が決定する範囲まで、出口を第二状態に向かって押し込み得る。第二状態のために定められる所定の端部位置はない。
【００１４】
弾性的に変形可能な閉塞部材を提供することによって、容器の内容物を気密に或いはほぼ気密に収容し得る。使用者は閉塞部材を第二状態に向かって少し下げ過ぎるのが普通であり、これは容器内に僅かな過圧を招く。空気は、例えば、閉塞部材と容器の縁部との間で、容器から漏れ得る。弾性的に変形可能な閉塞部材の故に、閉塞部材は、過圧に起因して少し丸いが、幾らかの空気を漏らすことによって、閉塞部材は少し「吸引」されるようになり、容器内に僅かな下圧がもたらされる。よって、容器を気密に或いはほぼ気密に閉塞し得るので、容器の内容物をより長く新鮮に維持し得る。特定の実験の間、容器の新鮮な内容物の老化は殆ど観察されなかった。
【００１５】
停止部材は、容器に適合可能な停止部材組立体の一部を形成し得る。停止部材組立体は、容器に取り外し可能に適合可能な別個の部分であり得るが、停止部材組立体を閉塞手段又は容器内に組み込んでもよい。
【００１６】
例えば、停止部材組立体は、停止部材を懸架するための枠組を含み得る。枠組は、リブ、又は、篩プレート、又は、穴等でパターン化されたプレートを含み得る。枠組の多くの変形が可能であり得る。枠組は容器に取り外し可能に適合可能であり得るし、或いは、枠組を容器又は閉塞手段に一体化し得る。代替的に、停止部材組立体は、容器の基部から上向きに突出する、停止部材としての支柱を含み得る。容器、例えば、容器の基部に取り外し可能に適合し得る枠組によって支柱を懸架し得る。支柱を容器の基部、底部、又は、側壁に一体化し得るし、或いは、支柱は容器内のインサート片から延びてもよい。好ましくは、支柱は、頂部よりも底部で、より大きな断面を有する。支柱は、円形、楕円形、又は、多角形の断面、或いは、それらの変形及び／又は組み合わせを有し得る。支柱の断面は、上向き方向においても変化し得る。第一状態において開放をもたらし、第二状態において閉塞をもたらすよう、出口の断面は、少なくとも支柱の上方部分の断面とほぼ対応するのが好ましい。支柱を容器に一体化し得るし、或いは、容器に取り外し可能に連結し得る。
【００１７】
容器に取り外し可能に適合し得る停止部材組立体を備えるならば、容器の様々な種類の使用及び／又は適用が可能であり得る。例えば、組立体をカクテルシェーカとして、或いは、砂糖容器又は飲料容器等として使用し得る。異なる種類の停止部材組立体、より具体的には、停止部材を懸架する異なる種類の枠組を提供することによって、計量分配組立体の多くの使用及び／又は変形が可能であり得る。単一の部分を交換することによって、使用者は容器及び閉塞手段を様々な使用のために構成し得る。
【００１８】
容器及び／又は閉塞手段に一体化される停止部材及び／又は停止部材組立体を提供することによって、計量分配組立体は比較的費用効果的であり、且つ／或いは、容器及び／又は閉塞手段は比較的単純であり、容器及び／又は閉塞手段を費用効果的に製造し得る。
【００１９】
有利に、支柱停止部材が容器に一体化されるとき、ホルダ、例えば、中空支柱内に受け入れ得るホルダ腕部と協働するよう、支柱を中空に構成し得る。よって、例えば、家庭のキッチンにおいて、計量分配組立体のための簡単で信頼性のある貯蔵をもたらすよう、計量分配組立体の容器と協働し得る比較的簡単なホルダシステムを提供し得る。
【００２０】
閉塞部材の出口は、停止部材とのフランジ係合を備え得る。フランジを設けることによって、使用者によって加えられる無作為な圧力の力及び予め決められない変形ゾーンの観点からも、停止部材の直径及び／又は断面の変動を容易に克服し得る。第二状態における停止部材上の閉塞部材の位置は予測できず、フランジを設けることは、第二状態における停止部材の位置、直径、及び／又は、断面における変動を克服し得る。
【００２１】
第二の特徴によれば、本発明は、食料品又は飲料品を貯蔵するための容器の開口を閉塞するための閉塞手段を提供し得る。本発明の第三の特徴によれば、本発明は、容器の部品及び閉塞手段の部品のキットを提供し得る。
【００２２】
本発明の更なる好適実施態様は、従属項中に定められる。
【００２３】
本発明の脈絡において、「食料」(“food”)という用語は、直ちに食される産物のみならず、食料品の準備において使用されるより一般的に食べられる品目も包含するよう広義に解釈されるべきである。「飲料」(“drink”)という用語も、同様に広義に解釈されるべきである。
【００２４】
添付の図面を参照して、本発明の例示的な実施態様を以下に記載する。
【図面の簡単な説明】
【００２５】
【図１ａ】本発明に従った計量分配組立体の第一実施態様を示す斜視図である。
【図１ｂ】図１ｂの計量分配組立体の第一実施態様の断面を示す斜視図である。
【図２ａ】第一状態にある計量分配組立体の第一実施態様を示す断面図である。
【図２ｂ】第二状態にある計量分配組立体の第一実施態様を示す断面図である。
【図３】本発明に従った計量分配組立体の第二実施態様の断面を示す斜視図である。
【図４ａ】第一状態にある計量分配組立体の第二実施態様を示す断面図である。
【図４ｂ】第二状態にある計量分配組立体の第二実施態様を示す断面図である。
【図５ａ】第一状態にある本発明に従った計量分配組立体の第三実施態様を示す側面図である。
【図５ｂ】第二状態にある本発明に従った計量分配組立体の第三実施態様を示す側面図である。
【図６ａ】図５の線Ａ−Ａに沿って取られた計量分配組立体の第三実施態様を示す断面図である。
【図６ｂ】図５の線Ｂ−Ｂに沿って取られた計量分配組立体の第三実施態様を示す断面図である。
【図７】計量分配組立体の第三実施態様を示す上面図である。
【図８ａ】中間状態にある閉塞部材を備える本発明に従った計量分配組立体を概略的に示す斜視図である。
【図８ｂ】中間状態にある閉塞部材を備える本発明に従った計量分配組立体を概略的に示す斜視図である。
【図９】本発明に従った計量分配組立体の第四実施態様を概略的に示す斜視図である。
【図１０】本発明に従った計量分配組立体の第五実施態様を概略的に示す斜視図である。
【図１１】本発明に従ったホルダ組立体を概略的に示す正面斜視図である。
【図１２】図１１のホルダを概略的に示す斜視分解図である。
【発明を実施するための形態】
【００２６】
この記載を通じて、同一又は対応する部分には同一又は対応する参照番号が付されている。
【００２７】
図１ａ及び１ｂを参照すると、ナッツ等の小さなスナックを計量分配するのに適した第一計量分配ボウル組立体が概ね参照番号１０で示されている。組立体１０は、この実施態様において、好ましくは、片手だけを使用して容易に保持し且つ操作し得るような大きさとされるが、確実には、両手を使用して容易に保持し且つ操作し得るような大きさとされる。例えば、ハーブを保持するよう、組立体１０を比較的小さなサイズにし得るし、或いは、例えば、パスタを保持するよう、組立体１０を比較的大きなサイズにし得る。様々なサイズが可能である。
【００２８】
組立体１０は、スナックを収用するための容器２０、ここでは、ボウル２０を含む。ボウル２０は、ガラス、又は、例えば、シリコーン若しくはＴＰＥのような剛性プラスチック材料から作製される。ボウル２０は、ベース２２と、ボウル２０の上方開口を定める周囲の外壁２４とを含む。外壁の上部、よって、ボウルの縁部は、参照番号２４ａで示されている。ボウル２０は、停止部材３２として、一体的に形成される支柱２６を更に含み、支柱２６は、基部２２の中心から上向きに突出し、緩やかに内向きに先細り、丸い遠位端部２８で終端し、丸い遠位端部２８は、この実施態様では、縁部２４ａの高さよりも僅かに上に延びている。支柱２６の遠位端部を平滑端部(blunt end)として設け得るが、開放端部としても設け得る。
【００２９】
図２（ａ）を参照すると、組立体１０は、ゴム又は可撓プラスチック材料で作製される一体形の閉塞部材４０を更に含む。閉塞部材４０は、出口５２を含み、出口５２は、ここでは、出口通路４６によって定められている。閉塞部材４０は、環状壁部４２と、環状壁部分４２から通路壁部分４８によって定められる出口通路４６に内向きに先細る、概ね円錐の表面の形状の先細り壁部分４４とを含む。環状壁部分４２は、ほぼ気密な封止係合において、ボウル２０の縁部２４ａの周りに適合し、それによって、図１（ａ），（ｂ）に示すように閉塞部材４０をボウル２０に取り付け得る。図１（ａ），（ｂ），２（ａ）に描写するように、閉塞部材４０は、その実質的に自然な状態において、第一状態にある。厳密な意味において、それはその自然な状態にないかもしれない。何故ならば、上述の封止係合を保証するために、環状壁部分４２と、先細り壁部分４４の隣接区画とに、閉塞部材４０の何らかの局所的な伸張があり得るからである。使用者が閉塞部材４０をボウル２０に取り付けるのを助けるために、閉塞部材４０は、タブ５０を更に含み、使用者は、取付け中、タブ５０を用いて、如何なる所要の伸張力をも容易に加え得る。閉塞部材４を用いるならば、図１（ａ），（ｂ），２（ａ）の実質的に自然な状態において、組立体１０は開放位置にあり、組立体１０の内側と外側との間の開放は、出口通路４６によってもたらされる。
【００３０】
閉塞部材４０が可撓な方法で変形するよう、閉塞部材４０の材料は弾性的である。例えば、通路壁部分４８を介して、閉塞部材４０を押し下げることは、閉塞部材４０、具体的には、先細り壁部分４４を座屈（バックリング）によって変形させ、それによって、出口通路４６は下向きに移動され、出口通路４６が図２（ｂ）中の位置に達するまで移動するときに、出口通路４６を通じて過剰な空気を排出する。図２（ｂ）の位置において、支柱２６の遠位端部２８は出口通路４６内に貫入し、出口通路４６を気密な方法において封止する。漸進的に先細る支柱２６の性質は、使用者に漸増する抵抗をもたらし、閉塞部材４０の過剰な押下げを防止し或いは少なくとも妨げ、停止部材と係合する第二位置における閉塞部材４０のための正確な端部位置は定められない。支柱２６が出口通路４６を閉鎖するとき、組立体１０は閉塞位置にある。通路壁部分４８と支柱２６との間の係合は、通路壁部分４８の表面と支柱２６の表面との間の摩擦力と通路壁部分４８によって支柱２６に加えられる把持力との両方に関して、使用者によって加えられる押下げ力の除去後、閉塞部材４０は変形状態に堅持され、よって、組立体１０は閉塞状態において係止（ロック）される。
【００３１】
組立体１０を解除（アンロック）するために、使用者は、例えば、通路壁部分４８を介して、閉塞部材４０を引っ張る。引っ張り作用は、通路壁部分４８と支柱２６との間の上述の摩擦力及び把持力に打ち勝ち、閉塞部材４０を解放して閉塞部材４０を第一状態に戻し、よって、組立体１０を図２（ａ）に示す開放位置に戻す。
【００３２】
図面に示すような通路壁部分４８の外向きに開く性質は、組立体１０を解除するときに有利である。何故ならば、外向きに開いた壁部分を使用者が掴むのは容易だからである。更に、組立体１０を係止するとき、外向きに開いた壁部分は、加えられる力を閉塞部材４０の表面に亘って広く分配する働きをする。外向きに開く壁部分の形状は、スナックが注ぎ出されるときのスナックの移動にも関係があり、よって、その形状はそれを更に考慮して設計されることが理解されよう。
【００３３】
使用者によって加えられる押下げ力が所望の垂直方向から何らかの道筋にあるとしても、支柱２６の遠位端部２８の丸い端部は、閉塞部材４０が意図される図２（ｂ）位置を最終的に採るのを促進する。
【００３４】
第一計量分配ボウル組立体１０の更なる実施態様では、組立体１０が閉塞位置を取るときに閉塞部材４０が採る変形状態が、材料の弾性から来る力が平衡状態にある二次的な安定状態又はその近くにあるように、閉塞部材４０及びその形状の特性を選択することができ、それによって、出口通路４６を封止するのに必要とされる上述の把持力及び摩擦力がより少なくあり得る。何故ならば、通路壁部分４８と支柱２６との間の係合は、封止（シール）をもたらすために働くだけであり、閉塞部材４０がその自然な状態に戻るのを制約するように働かないからである。
【００３５】
使用中、第一計量分配ボウル組立体１０は、以下のように使用される。閉塞部材４０が除去された状態で、小さなスナックのような食物がボウル２０に詰め込まれる。支柱２６の存在の故に、支柱２６の周りの領域のみがスナックのために利用可能である。次に、上述したように閉塞部材４０をボウル２０に取り付け、ボウル２０の縁部２４ａに気密な封止を創成する。スナックの鮮度を保存するために、使用者は閉塞部材４０を押し下げ、組立体１０を図２（ａ）の開放位置から図２（ｂ）の閉塞位置に移動させ、それによって、支柱２６と閉塞部材４０との間の更なる気密な封止を創成し、スナックを周囲空気から完全に隔離する。使用者が幾らかのスナックを計量分配することを欲するとき、使用者は通路壁部分４８を引っ張り、組立体１０を図２（ａ）の開放位置に移動させ、次に、ボウル２０を使用者の（両）手の中に保持し、必要に応じて組立体を傾けて、所望の量のスナック品目を組立体から注ぎ出す。スナック品目をそのように計量分配したならば、閉塞部材４０を再度押し下げることによって、組立体１０を再閉塞する。
【００３６】
第二計量分配ボウル組立体１０を図３，４（ａ），（ｂ）に示す。第二計量分配ボウル組立体１０は、支柱２６が懸架停止部材組立体３０と置換されている点を除き、その構成及び使用において、第一計量分配ボウル組立体１０と同じである。停止部材組立体３０は、停止部材３２を含み、停止部材３２は、支持枠組３３によって、出口通路４６より下の所定位置に懸架されている。支持枠組３３は、４つの湾曲した径方向肢部３４ａ−ｄ（図面では３４ａ−ｃだけが見えている）を含み、各径方向肢部は、円周レール３５に接続されている。他の実施態様において、支持枠組３３は、異なる数の肢部、例えば、２つの肢部を含み得る。この実施態様において、停止部材３２と、肢部３４ａ−ｄと、レール３５とは、一体形のプラスチック製インサートの一部を形成している。インサート３０は、レール３５が閉塞部材４０によって縁部２４ａ上の所定位置に保持された状態で、図示のようにボウル２０に取り外し可能に適合される。使用中、停止部材３２は、図４（ａ），（ｂ）に示すように出口通路４６を封止するに際して、支柱２６の遠位端部２８と同じ役割を演じる。インサート３０が閉塞部材４０を標準設計のボウル２０、即ち、特別な支柱２６を含まないボウル２０と共に使用することを可能にする点で、第二計量分配ボウル組立体１０は有利である。その上、支柱２６の使用を回避することは、ボウル２０内で、スナックのためのより多くの収納力を解放する。
【００３７】
第三計量分配ボウル組立体１０を図５（ａ），（ｂ），６（ａ），（ｂ），７に示す。第三計量分配ボウル組立体は、支柱２６の遠位端部２８が肩部２８ａを備え且つ通路壁部分４８が環状フランジ４８ａを備える点を除き、その構成及び使用において、第一計量分配ボウル組立体と同じである。閉塞部材４０が押し下げられるとき、閉塞部材４０は図６（ａ）に示す第一状態から図６（ｂ）に示す変形状態に変形される。図６（ｂ）の状態において、フランジ４８ａは肩部４８ａの上に位置するようになる。フランジ４８ａと肩部２８ａとの間の係合は、支柱２６と閉塞部材４０との間の緊密な封止を促進する働きをする。
【００３８】
変更すべきところは変更して採用して、緊密な封止を促進するための類似の手段を、第二計量分配ボウル組立体と共に使用し得る。
【００３９】
ピーナッツのようなスナックを計量分配する使用において上述の好適実施態様を記載した。しかしながら、上述の好適実施態様を、例えば、依然として注出し得る増加する大きさの小麦粉、砂糖、香辛料のような食料品、及び、他の類似の食料品や、飲料品にも使用し得る。
【００４０】
上述の好適実施態様において、閉塞部材４０は、一体形の弾性材料を含む。他の実施態様では、閉塞部材４０は、弾性区画、例えば、先細り壁部分４４と、他の剛性区画、例えば、通路壁部分４８及び／又は環状壁部分４２とを含み得る。環状壁部分４２が剛的である場合、環状壁部分４２は縁部２４ａの上にネジ込み可能であるのが好ましい。
【００４１】
図８ａ及び８ｂは、閉塞部材４０が中間状態にある計量分配組立体１０を示している。中間状態は、閉塞部材４０が図１、図２ａ、図３、図４ａ、図５ａ又は図６ａに示す第一状態と、図２ｂ、図４ｂ、図５ｂ又は図６ｂに示す第二状態との中間にある状態である。図８ａに見ることができるように、中間位置において、出口５２は部分的に開放されている。出口通路４６は、停止部材３２によって部分的に閉塞されている。中間状態において、第一状態よりも小さな流出開口がもたらされる。
【００４２】
閉塞部材４０は弾性的に変形可能であるので、使用者の押圧方向は予め決められていない。使用者は、閉塞部材４０を、幾分無作為に、第一状態から第二状態に向かって、或いは、中間状態に向かって押し込み得る。また、中間状態は予め定められた状態ではなく、出口が停止部材３２によって部分的に封鎖される程度は、使用者の圧力作用によって決定される。
【００４３】
従来技術とは対照的に、図８ａ及び８ｂには所定の変形線がないことを見ることができる。閉塞部材４０全体は弾性的に変形可能であるが、環状壁部分４２及び通路壁部分４８も弾性的に変形可能であり、第一状態から中間状態及び／又は第二状態への押圧の間に変形するのは、主として先細り壁部分４４である。先細り壁部分４４には所定の変形線がなく、閉塞部材４０又は先細り壁部分４４は、ほぼ無作為に変形し得る。
【００４４】
図８ａに見ることができるように、停止部材３２は穴(hole)５４を備える。有利に、例えば、皿洗い中、容器２０が、例えば、乾燥のために上下逆に配置されるとき、支柱２６内に組み込まれる流体は、穴５４を通じて、支柱２６から漏れ出し得る。
【００４５】
図９は、本発明に従った計量分配組立体１０の第四実施態様を示している。この実施態様において、閉塞部材４０は閉塞手段６０に含まれる。先に図示した実施態様において、閉塞部材４０を含む閉塞手段６０は同じである。ここでは、閉塞手段６０は、閉塞部材４０と、閉塞部材４０の周りに配置される閉塞部分６２とを含む。ここでは、単一の閉塞部材４０が閉塞手段６０に含まれるが、閉塞手段６０は多数の閉塞部材４０を含み得る。各閉塞部材４０は、前述したのと同様に機能し得る。
【００４６】
図１０は、本発明に従った計量分配組立体１０の第五実施態様を示している。ここでは、停止部材３２は、容器２０の上に懸架される停止部材組立体３０の一部を形成している。この実施態様では、例えば、流体の漏れを防止するために、封止リング７０が、懸架される停止部材組立体３０と容器２０との間に配置されている。図１０に示す実施態様を、例えば、カクテルシェーカとして有利に使用し得る。懸架される停止部材組立体３０は、ここでは、流体が流れ得る孔(aperture)３６を備える。例えば、カクテルシェーカとしての使用のために、全ての成分を容器２０内に注入し得る。次に、封止リング７０、停止部材組立体３０、及び、閉塞部材４０を容器２０の上に配置して、計量分配組立体１０をもたらし得る。可撓な閉塞部材４０を、出口５２が停止部材３２によって閉塞される第二状態に向かって押し込み得る。出口５２の閉塞位置において、シェーカ内の成分を振り動かし得る。準備が出来たとき、閉塞部材４０を第一位置に戻して出口５２を開き、孔３６及び出口５２を通じて流体を注ぎ得る。孔６２は、より大きな固形成分が注ぎ出されるのを防止する篩としても機能し得る。停止部材組立体３０は、篩も含み得る。停止部材組立体３０の様々な実施態様を提供し得るし、そのような停止部材組立体を含む計量分配組立体の様々な用途が可能であり得る。
【００４７】
図１１は、ホルダ８０の上に配置される計量分配組立体１０を示している。図１２は、ホルダ８０の分解図を示している。計量分配組立体１０及びホルダ８０のそのような構成を、例えば、ハーブ又は他の食品を容器２０内に収容し得るハーブラックとして使用し得る。ホルダを設けることによって、計量分配組立体のための単純で容易な貯蔵を提供し得る。
【００４８】
ホルダ８０は、ホルダ脚部(holder foot)８２を含み、ホルダ脚部８２の上には、ホルダ基部(holder base)８４が設けられ、ホルダ基部８４は、ホルダ腕部(holder
arm)８６を含む。この実施態様において、ホルダ脚部８２は、ホルダ脚部８２から突出する単一のホルダ基部８４を備える。しかしながら、ホルダ脚部８２は、多数のホルダ基部８４を含み得る。ホルダ基部は、ホルダ腕部を含んでも含まなくてもよい。
【００４９】
図１２に示す実施態様において、ホルダ８０は、多数のホルダ素子９０を含むモジュールである。ホルダ素子９０は、単一又は多数のホルダ腕部８６を含み得る。各ホルダ素子９０は、第一協働素子９２と、第二協働素子９４とを含む。第一協働素子９２は、ホルダ素子９０の第二協働素子９４との協働のために配置される。このようにして、使用者の必要に適合し得るモジュールホルダ８０を形成し得る。第一及び第二の協働素子９２，９４は、ここでは、開口９２内に収容し得る突起９４として構成されている。例えば、クリック若しくはスナップ接続又はネジ接続を備える、他の協働素子も設け得る。多くの変形が可能である。ここでは、突起９４は、開口９２内にほぼ緩く落ち込む。
【００５０】
ホルダ腕部８６は、容器２０の支柱２６との協働のために配置されている。支柱２６は、ホルダ腕部８６を受け入れるために中空である。支柱２６は、その鈍な(blunt)上方端部に向かって先細いのが好ましく、相応してホルダ腕部８６を先細らせ得る。支柱２６は、容器２０内にほぼ上向きに配置される。図１２中に見ることができるように、ホルダ腕部８６は、直線であっても湾曲していてもよい。
【００５１】
他の実施態様では、閉塞部材４０は、ボウルを気密な方法において閉塞する必要はない。例えば、主要な意図される食料品が依然としてそれらの殻に包まれたナッツ又は個別に包装されたデザートである場合、非気密封止で十分である。そのような場合、組立体１０はナッツ又はデザートのための審美的に心地良い貯蔵場所とナッツ又はデザートを計量分配する便利な手段とを依然として提供し得る。
【００５２】
他の実施態様において、食料品又は飲料品を保持する容器は、ボウル形状である必要はない。
【００５３】
多くの変形が当業者に明らかである。全ての変形は、以下の請求項に定められるような発明の範囲内に含まれると理解される。
【符号の説明】
【００５４】
１０    計量分配ボウル組立体
２０    容器（ボウル）
２２    ベース
２４    外壁
２４ａ  縁部
２６    支柱
２８    遠位端
２８ａ  肩部
３０    係止部材組立体（インサート）
３２    停止部材
３３    枠組
３４ａ−ｄ  径方向肢部
３５    円周レール
３６    孔
４０    閉塞部材
４２    環状壁部分
４４    先細り壁部分
４６    出口通路
４８    通路壁部分
４８ａ  フランジ
５０    タブ
５２    出口
５４    穴
６０    閉塞手段
６２    閉塞部分
７０    封止リング
８０    ホルダ
８２    ホルダ脚部
８４    ホルダ基部
８６    ホルダ腕部
９０    ホルダ素子
９２    第一協働素子（開口）
９４    第二協働素子（突起）
【図１ａ】
0005948253.tif 000002
【図１ｂ】
0005948253.tif 000003
【図２ａ】
0005948253.tif 000004
【図２ｂ】
0005948253.tif 000005
【図３】
0005948253.tif 000006
【図４ａ】
0005948253.tif 000007
【図４ｂ】
0005948253.tif 000008
【図５ａ】
0005948253.tif 000009
【図５ｂ】
0005948253.tif 000010
【図６ａ】
0005948253.tif 000011
【図６ｂ】
0005948253.tif 000012
【図７】
0005948253.tif 000013
【図８ａ】
0005948253.tif 000014
【図８ｂ】
0005948253.tif 000015
【図９】
0005948253.tif 000016
【図１０】
0005948253.tif 000017
【図１１】
0005948253.tif 000018
【図１２】
0005948253.tif 000019